(57)【要約】    【課題】  塗工用下地材のたわみを防いで張設を円滑に行い得、塗工材を均等な厚さで塗工して塗工部を形成し得、胴縁間の通気を妨げない、容易に製造し得る塗工用下地材張設構造、塗工構造、塗工用下地材張設工法及び胴縁補助体の提供。    【解決手段】  基材Ａ上に間隔おきに胴縁Ｂを設け、細長薄板状材からなる胴縁補助体Ｃの両端部の刺入部Ｄを両胴縁Ｂにそれぞれ固定して架設し、胴縁Ｂの表側部上に塗工用下地材を張設する。胴縁補助体Ｃにおける長手方向中央部に、裏側に屈曲突設された支持突部Ｃ１を有し、胴縁補助体Ｃは、表側面において塗工用下地材の裏側を表向きに支持し、支持突部Ｃ１において基材Ａにより表向きに支持される。【選択図】      図４
2017106224.tif 000002
【特許請求の範囲】
【請求項１】
基材上に間隔おきに胴縁が設けられ、胴縁の表側部上に塗工用下地材が張設された塗工用下地材張設構造であって、
細長薄板状材からなる胴縁補助体を有し、
その胴縁補助体の長手方向に離隔した２箇所が、前記間隔おきに隣り合う両胴縁の一方及び他方に対しそれぞれ固定されることにより、前記細長薄板状材の裏側面が前記基材に相対するように前記両胴縁にわたり架設され、
前記胴縁補助体における前記両胴縁間の長手方向の中間部に、裏側に屈曲突設された支持突部を１箇所又は２乃至数箇所に有し、
前記胴縁補助体は、前記細長薄板状材の表側面において前記塗工用下地材の裏側を表向きに支持し得、前記支持突部において前記基材により表向きに支持され得ることを特徴とする塗工用下地材張設構造。
【請求項２】
上記胴縁補助体が、裏側に突起した刺入部を有し、その刺入部が上記胴縁の表側部に対し刺入することにより胴縁補助体が胴縁に固定されている請求項１記載の塗工用下地材張設構造。
【請求項３】
上記細長薄板状材の長手方向両端部が、上記間隔おきに隣り合う両胴縁の一方及び他方に対しそれぞれ固定されることにより、上記細長薄板状材の裏側面が上記基材に相対するように前記両胴縁にわたり架設されている請求項１又は２記載の塗工用下地材張設構造。
【請求項４】
上記両胴縁間の長手方向の中間部における１箇所に上記支持突部を有する請求項１乃至３の何れか１項に記載の塗工用下地材張設構造。
【請求項５】
請求項１乃至４の何れか１項に記載の塗工用下地材張設構造における塗工用下地材に塗工材が塗工されて塗工部が形成され、
その塗工部と上記基材の間隙における隣り合う両胴縁の間の部分の胴縁の長手方向の通気を、上記胴縁補助体が妨げない塗工構造。
【請求項６】
基材上に間隔おきに設けられた胴縁の表側部上に塗工用下地材を張設する塗工用下地材張設工法であって、
細長薄板状材からなり、長手方向の中間部に、前記細長薄板状材の一方の側である裏側に屈曲突設された支持突部を１箇所又は２乃至数箇所に有する胴縁補助体を、その長手方向に離隔した２箇所において、前記間隔おきに隣り合う両胴縁の一方及び他方に対しそれぞれ固定することにより、前記細長薄板状材の裏側面が前記基材に相対するように前記両胴縁にわたり架設し、
前記細長薄板状材の表側面において前記塗工用下地材の裏側を表向きに支持し得、前記支持突部において前記基材により表向きに支持され得るものとする塗工用下地材張設工法。
【請求項７】
基材上に間隔おきに胴縁が設けられ、胴縁の表側部上に塗工用下地材が張設された塗工用下地材張設構造に用いられる胴縁補助体であって、
細長薄板状材からなり、長手方向の中間部に、前記細長薄板状材の一方の側である裏側に屈曲突設された支持突部を１箇所又は２乃至数箇所に有し、
長手方向に離隔した２箇所が、前記間隔おきに隣り合う両胴縁の一方及び他方に対しそれぞれ固定されることにより、前記細長薄板状材の裏側面が前記基材に相対するように前記両胴縁にわたり架設され、
前記細長薄板状材の表側面において前記塗工用下地材の裏側を表向きに支持し得、前記支持突部において前記基材により表向きに支持され得るものであることを特徴とする胴縁補助体。
【請求項８】
長手方向両端部に、胴縁の表側部に刺入して胴縁に固定するための、裏側に突起した刺入部をそれぞれ有する請求項７記載の胴縁補助体。
【発明の詳細な説明】
【技術分野】
【０００１】
本発明は、モルタル塗工のためのラス等の塗工用下地材を張設した塗工用下地材張設構造、その塗工用下地材張設構造に塗工材を塗工した塗工構造、塗工用下地材を張設する塗工用下地材張設工法、及び、これらの構造及び工法に用いられる胴縁補助体に関する。
【背景技術】
【０００２】
特許２９６１６５５号公報には、木造建築物や鉄骨造建築物等の建築、増改築、補修に際し、外壁内の結露を防ぎ、断熱・気密性能を向上させる外通気を、モルタル塗りなどの湿式工法にて形成する建築物の湿式外通気工法に関する発明が記載されている。
【０００３】
特に、胴縁と胴縁の間に補助胴縁を取り付けることにより、鉄網の撓みが抑制され、鉄網の取付け作業も軽量セメントモルタルの塗着作業も何の困難もなく実施することができ、、補助胴縁によって過大な撓みが抑制できるので、素材的に軟質の鉄網を適用することも可能となる旨記載されている。
【先行技術文献】
【特許文献】
【０００４】
【特許文献１】特許２９６１６５５号公報
【発明の概要】
【発明が解決しようとする課題】
【０００５】
本発明は、塗工用下地材のたわみを防いで、塗工用下地材の張設を円滑に行い得ると共に塗工用下地材に対し塗工材を均等な厚さで塗工して塗工部を形成し得、塗工部と基材の間隙における隣り合う両胴縁の間の部分の胴縁の長手方向の通気を妨げない、容易に製造し得る塗工用下地材張設構造、その塗工用下地材張設構造に塗工材を塗工した塗工構造、塗工用下地材を張設する塗工用下地材張設工法、及び、これらの構造及び工法に用いられる胴縁補助体を提供することを目的とする。
【課題を解決するための手段】
【０００６】
本発明の塗工用下地材張設構造、その塗工用下地材張設構造に塗工材を塗工した塗工構造、塗工用下地材を張設する塗工用下地材張設工法、及び、これらの構造及び工法に用いられる胴縁補助体は、次のように表すことができる。
【０００７】
(1) 基材上に間隔おきに胴縁が設けられ、胴縁の表側部上に塗工用下地材が張設された塗工用下地材張設構造であって、
細長薄板状材からなる胴縁補助体を有し、
その胴縁補助体の長手方向に離隔した２箇所が、前記間隔おきに隣り合う両胴縁の一方及び他方に対しそれぞれ固定されることにより、前記細長薄板状材の裏側面が前記基材に相対するように前記両胴縁にわたり架設され、
前記胴縁補助体における前記両胴縁間の長手方向の中間部に、裏側に屈曲突設された支持突部を１箇所又は２乃至数箇所に有し、
前記胴縁補助体は、前記細長薄板状材の表側面において前記塗工用下地材の裏側を表向きに支持し得、前記支持突部において前記基材により表向きに支持され得ることを特徴とする塗工用下地材張設構造。
【０００８】
胴縁補助体の長手方向に離隔した２箇所が、間隔おきに隣り合う両胴縁の一方及び他方に対しそれぞれ固定されることにより、その胴縁補助体を構成する細長薄板状材の裏側面が基材に相対するように、両胴縁にわたり容易に架設される。
【０００９】
その胴縁補助体は、両胴縁間の長手方向中間部の１箇所又は２乃至数箇所において裏側に屈曲突設された支持突部において前記基材により表向きに支持され得、細長薄板状材の表側面においてラス等の塗工用下地材の裏側を表向きに支持し得る。
【００１０】
そのため、塗工用下地材のたわみを防いで、塗工用下地材の張設を円滑に行い得ると共に塗工用下地材に対し塗工材を均等な厚さで塗工して塗工部を形成し得る。
【００１１】
胴縁補助体は、細長薄板状材からなり、裏側面が基材に相対し、表側面において塗工用下地材の裏側を表向きに支持し得、１箇所又は２乃至数箇所において裏側に屈曲突設された支持突部において基材により表向きに支持され得るものであるから、塗工部と基材の間隙における隣り合う両胴縁の間の部分の胴縁の長手方向の通気を妨げない。
【００１２】
(2) 上記胴縁補助体が、裏側に突起した刺入部を有し、その刺入部が上記胴縁の表側部に対し刺入することにより胴縁補助体が胴縁に固定されている上記(1)記載の塗工用下地材張設構造。
【００１３】
(3) 上記細長薄板状材の長手方向両端部が、上記間隔おきに隣り合う両胴縁の一方及び他方に対しそれぞれ固定されることにより、上記細長薄板状材の裏側面が上記基材に相対するように前記両胴縁にわたり架設されている上記(1)又は(2)記載の塗工用下地材張設構造。
【００１４】
(4) 上記両胴縁間の長手方向の中間部における１箇所に上記支持突部を有する(1)乃至(3)の何れか１項に記載の塗工用下地材張設構造。
【００１５】
(5) 上記(1)乃至(4)の何れか１項に記載の塗工用下地材張設構造における塗工用下地材に塗工材が塗工されて塗工部が形成され、
その塗工部と上記基材の間隙における隣り合う両胴縁の間の部分の胴縁の長手方向の通気を、上記胴縁補助体が妨げない塗工構造。
【００１６】
(6) 基材上に間隔おきに設けられた胴縁の表側部上に塗工用下地材を張設する塗工用下地材張設工法であって、
細長薄板状材からなり、長手方向の中間部に、前記細長薄板状材の一方の側である裏側に屈曲突設された支持突部を１箇所又は２乃至数箇所に有する胴縁補助体を、その長手方向に離隔した２箇所において、前記間隔おきに隣り合う両胴縁の一方及び他方に対しそれぞれ固定することにより、前記細長薄板状材の裏側面が前記基材に相対するように前記両胴縁にわたり架設し、
前記細長薄板状材の表側面において前記塗工用下地材の裏側を表向きに支持し得、前記支持突部において前記基材により表向きに支持され得るものとする塗工用下地材張設工法。
【００１７】
(7) 基材上に間隔おきに胴縁が設けられ、胴縁の表側部上に塗工用下地材が張設された塗工用下地材張設構造に用いられる胴縁補助体であって、
細長薄板状材からなり、長手方向の中間部に、前記細長薄板状材の一方の側である裏側に屈曲突設された支持突部を１箇所又は２乃至数箇所に有し、
長手方向に離隔した２箇所が、前記間隔おきに隣り合う両胴縁の一方及び他方に対しそれぞれ固定されることにより、前記細長薄板状材の裏側面が前記基材に相対するように前記両胴縁にわたり架設され、
前記細長薄板状材の表側面において前記塗工用下地材の裏側を表向きに支持し得、前記支持突部において前記基材により表向きに支持され得るものであることを特徴とする胴縁補助体。
【００１８】
(8) 長手方向両端部に、胴縁の表側部に刺入して胴縁に固定するための、裏側に突起した刺入部をそれぞれ有する上記(7)記載の胴縁補助体。
【発明の効果】
【００１９】
本発明によれば、細長薄板状材製の胴縁補助体を、間隔おきに隣り合う胴縁にわたり容易に架設し、塗工用下地材のたわみを防いで、塗工用下地材の張設を円滑に行い得ると共に塗工用下地材に対し塗工材を均等な厚さで塗工して塗工部を形成し得る。而も、塗工部と基材の間隙における隣り合う両胴縁の間の部分の胴縁の長手方向の通気を妨げない。
【図面の簡単な説明】
【００２０】
【図１】胴縁補助体の正面図である。
【図２】胴縁補助体の平面図である。
【図３】塗工用下地材張設構造の模式的要部横断面図である。
【図４】塗工構造の模式的要部横断面図である。
【図５】間隔おきに隣り合う胴縁にわたり胴縁補助体が架設された状態の正面図である。
【図６】塗工用下地材張設構造の要部正面図である。
【発明を実施するための形態】
【００２１】
[1] 図面は何れも本発明の実施の形態の例としての塗工用下地材張設構造、塗工構造、塗工用下地材張設工法、及び、胴縁補助体に関するものである。
【００２２】
基材Ａとしての木製パネルの鉛直状の表側面に、方形断面の棒状の木製胴縁Ｂが、長手方向を鉛直方向として、等間隔おきに設けられている。
【００２３】
胴縁補助体Ｃは、鋼製の細長薄板状材からなり、表面には防錆処理が施されている。
【００２４】
胴縁補助体Ｃの長手方向の中央部には、平面に沿った細長薄板状材の短手方向の全幅にわたり屈曲して裏側に突設された支持突部Ｃ１を１箇所に有する。支持突部Ｃ１は、一定の平面に沿った細長薄板状材から裏側に垂直に立ち上がった同じ高さの一対の立上部Ｃ１ａと、それらの立上部Ｃ１ａの先端部同士を連結する平板状の底部Ｃ１ｂからなる方形状をなす。
【００２５】
胴縁補助体Ｃを構成する細長薄板状材のうち、支持突部Ｃ１及び両端部以外の部分の幅方向中央部に、表側に突起するたわみ防止のための長手方向の裏側開口の一対の突条部Ｃ２を有する。
【００２６】
胴縁補助体Ｃの長手方向両端部には、それぞれ切り起こしにより三角形状に裏側に突起した刺入部Ｄを幅方向の２箇所に有する。細長薄板状材のうち刺入部Ｄが切り起こされた部分は切り起こし開口部Ｅを形成している。
【００２７】
胴縁補助体Ｃの長手方向両端部の刺入部Ｄを、間隔おきに隣り合う両胴縁Ｂの一方及び他方の表側部に対しそれぞれ刺入することにより、胴縁補助体Ｃの両端部がそれぞれの胴縁Ｂに固定されている。これにより胴縁補助体Ｃは、細長薄板状材の裏側面が基材Ａに相対するように両胴縁Ｂにわたり架設されている。
【００２８】
基材Ａ上に間隔おきに設けられた胴縁Ｂの表側部及び隣り合う胴縁Ｂにわたり架設された胴縁補助体Ｃ上に、防水紙Ｐ（図６には図示を略す）が介在する状態で塗工用下地材としてのラスＦが、タッカーにより胴縁Ｂに固定されて張設されている。
【００２９】
ラスＦには、モルタルが塗工されてモルタル塗工部Ｇが形成され、モルタル壁を構成している。
【００３０】
胴縁補助体Ｃは、支持突部Ｃ１において基材Ａにより表向きに支持され、細長薄板状材の表側面においてラスＦの裏側を表向きに支持する。そのため、ラスＦのたわみが防がれ、ラスＦの張設を円滑に行い得ると共にラスＦに対しモルタルを均等な厚さで塗工してモルタル塗工部Ｇを形成し得る。
【００３１】
胴縁補助体Ｃは、細長薄板状材からなり、裏側面が基材Ａに相対し、表側面において塗工用下地材の裏側を表向きに支持し得、１箇所において裏側に屈曲突設された支持突部Ｃ１において基材Ａにより表向きに支持され得るものであるから、モルタル塗工部Ｇと基材Ａの間隙における隣り合う両胴縁Ｂの間の部分の胴縁Ｂの長手方向（鉛直方向）の通気を妨げない。
【００３２】
[2] 本発明の実施の形態を、上記以外の形態を含めて更に説明する。
【００３３】
本発明の塗工用下地材張設構造は、基材上に間隔おきに胴縁が設けられ、隣り合う両胴縁にわたり胴縁補助体が架設され、胴縁の表側部上に塗工用下地材が張設されたものであり、本発明の塗工構造は、塗工用下地材張設構造における塗工用下地材に塗工材が塗工されて塗工部が形成されてなるものである。
【００３４】
また本発明の塗工用下地材張設工法は、基材上に間隔おきに設けられた胴縁における隣り合う両胴縁にわたり胴縁補助体を架設し、それらの胴縁の表側部上に塗工用下地材を張設するものである。
【００３５】
更に、本発明の胴縁補助体は、本発明の塗工用下地材張設構造において用いられる胴縁補助体である。
【００３６】
(1) 基材としては、例えば、住宅又はその他の建築物の外壁等を構成する構造材からなる若しくは構造材を含む基材又はその他の基材を挙げることができる。基材は、木製又はその他の材料製とすることができる。
【００３７】
(2) 基材上に、塗工用下地材を張設するための胴縁が、間隔おきに設けられている。
【００３８】
基材が鉛直状の面を構成するものである場合、例えば方形断面の棒状又は細長板状の胴縁を、長手方向を鉛直方向として、間隔おきに（好ましくは等間隔おきに）設けることができる。
【００３９】
胴縁は、木製又はその他の材料製とすることができる。
【００４０】
塗工部と基材の間隙における隣り合う両胴縁の間の部分の通気上、胴縁の長手方向を鉛直方向とすることが好ましいが、これに限るものではない。
【００４１】
(3) 胴縁補助体は、鋼製若しくはステンレス鋼製又はその他の金属製或いはその他の材料製の細長薄板状材からなる。胴縁補助体は、防錆処理等の所要の表面処理が施されていることが好ましい。
【００４２】
胴縁補助体の長手方向の中間部には、前記細長薄板状材の一方の側である裏側に屈曲突設された支持突部を１箇所又は２乃至数箇所（好ましくは１箇所）に有する。
【００４３】
支持突部は、平面に沿った細長薄板状材の短手方向の全幅にわたり屈曲して裏側に突設することができる。
【００４４】
支持突部の形状は、例えば、平板状又は平面に沿った細長薄板状材から裏側に垂直に立ち上がった同じ高さの一対の立上部と、それらの立上部の先端部同士を連結する平板状又は平面に沿った底部からなる方形状とすることができるが、必ずしもこれに限るものではない。
【００４５】
胴縁補助体の長手方向に離隔した２箇所（好ましくは両端部）が、間隔おきに隣り合う両胴縁の一方及び他方に対し、例えば各胴縁の表側部上にそれぞれ固定されることにより、細長薄板状材の裏側面が基材に相対するように前記両胴縁にわたり架設される。
【００４６】
胴縁補助体は、裏側に突起した刺入部を（例えば長手方向両端部にそれぞれ１又は２以上）有し、その刺入部が胴縁の表側部に対し刺入することにより胴縁補助体が胴縁に固定されるものとすることができる。タッピングねじやタッカー等の固定具を別途用いて胴縁補助体を固定することもできるが、前記のように胴縁補助体に一体に形成された刺入部を用いた場合、簡便に胴縁補助体を固定して架設することができる。刺入部は、例えば細長薄板状材の一部の切り起こしにより形成することができるが、これに限るものではない。
【００４７】
胴縁補助体を構成する細長薄板状材のうち、支持突部以外の部分には、例えば長手方向の１又は２条以上の突条部（例えば裏側又は表側に開口する中空突条部）等の、たわみ防止構造を有するものとすることができる。
【００４８】
(4) 基材上に間隔おきに設けられた胴縁の表側部及び隣り合う胴縁にわたり架設された胴縁補助体上に、防水紙等の介在物を挟む状態で若しくは直接に、各種のラス若しくはその他の塗工用下地材が、タッカー又はその他の手段により胴縁または基材に固定されて張設されるものとすることができる。
【００４９】
(5) 更に、塗工用下地材に塗工材が塗工されて塗工部が形成されるものとすることができる。
【００５０】
塗工材としては、モルタルの他、漆喰を始めとする各種塗工材を例示することができる。
【符号の説明】
【００５１】
Ａ      基材
Ｂ      胴縁
Ｃ      胴縁補助体
Ｃ１    支持突部
Ｃ１ａ  立上部
Ｃ１ｂ  底部
Ｃ２    突条部
Ｄ      刺入部
Ｅ      開口部
Ｆ      ラス
Ｇ      モルタル塗工部
Ｐ      防水紙
【図１】
2017106224.tif 000003
【図２】
2017106224.tif 000004
【図３】
2017106224.tif 000005
【図４】
2017106224.tif 000006
【図５】
2017106224.tif 000007
【図６】
2017106224.tif 000008